(57)【要約】【課題】特定の目的に適合する血管を特定することができる血管特定装置及び血管特定方法を提供する。【解決手段】血管特定装置１は、対象部位２の解析用画像を画像処理して、対象部位２に含まれる血管の位置及び形状を含む血管情報を取得する画像処理装置３１と、血管情報を用いて、解析用画像に含まれる血管に関して特定の目的に対する適合性を示すパラメータについて、適合の程度に応じて点数化する評価装置３２と、パラメータの点数に基づき、対象部位２に含まれる血管の中から目的に適合する適合血管を特定する特定装置３３とを備える。【選択図】図１
2020185199.tif 000002
【特許請求の範囲】
【請求項１】
対象部位の解析用画像を画像処理して、前記対象部位に含まれる血管の位置及び形状を含む血管情報を取得する画像処理装置と、
前記血管情報を用いて、前記解析用画像に含まれる血管に関して特定の目的に対する適合性を示すパラメータについて、適合の程度に応じて点数化する評価装置と、
前記パラメータの点数に基づき、前記対象部位に含まれる血管の中から前記目的に適合する適合血管を特定する特定装置と
を備えることを特徴とする血管特定装置。
【請求項２】
前記評価装置が、血管に針の穿刺しやすさを示す前記パラメータについて点数化することを特徴とする請求項１に記載の血管特定装置。
【請求項３】
前記評価装置が、血管の直進性、血管の長さ、血管の太さ、血管の延伸方向、及び前記解析用画像の特定地点からの距離の少なくともいずれかを前記パラメータとして点数化することを特徴とする請求項２に記載の血管特定装置。
【請求項４】
前記評価装置が、前記対象部位に含まれる複数の血管に関して前記パラメータをそれぞれ点数化し、前記目的に適合する順に血管を順位付けし、
前記適合血管の前記目的に適合する適合箇所が、前記適合血管それぞれの順位又は前記パラメータの合計点のいずれか一方と共に表示されることを特徴とする請求項１乃至３のいずれか１項に記載の血管特定装置。
【請求項５】
前記評価装置が、所定の許容範囲を超えた前記パラメータの点数をゼロ点にすることを特徴とする請求項４に記載の血管特定装置。
【請求項６】
前記適合血管の前記適合箇所を、前記順位又は前記合計点のいずれかと共に、前記適合血管の形状に重ねて表示する表示装置を更に備えることを特徴とする請求項４又は５に記載の血管特定装置。
【請求項７】
前記適合血管の前記適合箇所を、前記順位又は前記合計点のいずれかと共に、前記適合血管の位置に対応させて前記対象部位に投影する投影装置を更に備えることを特徴とする請求項４又は５に記載の血管特定装置。
【請求項８】
前記投影装置が、前記適合血管の形状を近似した近似線に前記適合箇所を重ねて前記対象部位に投影することを特徴とする請求項７に記載の血管特定装置。
【請求項９】
前記特定装置が、前記目的に応じて前記パラメータに重み付けすることを特徴とする請求項１乃至８のいずれか１項に記載の血管特定装置。
【請求項１０】
前記対象部位に特定の波長の照射光を照射する照明装置と、
前記対象部位を撮影して前記解析用画像を取得する撮像装置と
を更に備え、
前記特定の波長が、前記照射光が前記対象部位に照射されることにより、前記照射光が照射されない場合よりも血管と他の領域との境界が明確である前記解析用画像が前記撮像装置によって取得されるように選択されていることを特徴とする請求項１乃至９のいずれか１項に記載の血管特定装置。
【請求項１１】
前記照射光が近赤外線であることを特徴とする請求項１０に記載の血管特定装置。
【請求項１２】
対象部位の解析用画像を画像処理して、前記対象部位に含まれる血管の位置及び形状を含む血管情報を取得するステップと、
前記血管情報を用いて、前記解析用画像に含まれる血管に関して特定の目的に対する適合性を示すパラメータについて、適合の程度に応じて点数化するステップと、
前記パラメータの点数に基づき、前記対象部位に含まれる血管の中から前記目的に適合する適合血管を特定するステップと
を含むことを特徴とする血管特定方法。
【請求項１３】
血管に針の穿刺しやすさを示す前記パラメータについて点数化することを特徴とする請求項１２に記載の血管特定方法。
【請求項１４】
血管の直進性、血管の長さ、血管の太さ、血管の延伸方向、及び前記解析用画像の特定地点からの距離の少なくともいずれかを前記パラメータとして点数化することを特徴とする請求項１３に記載の血管特定方法。
【請求項１５】
前記対象部位に含まれる複数の血管に関して前記パラメータをそれぞれ点数化し、前記目的に適合する順に血管を順位付けし、
前記適合血管の前記目的に適合する適合箇所を、前記適合血管それぞれの順位又は前記パラメータの合計点のいずれか一方と共に表示する
ことを特徴とする請求項１２乃至１４のいずれか１項に記載の血管特定方法。
【請求項１６】
所定の許容範囲を超えた前記パラメータの点数をゼロ点にすることを特徴とする請求項１５に記載の血管特定方法。
【請求項１７】
前記適合血管の前記適合箇所を、前記順位又は前記合計点のいずれかと共に、前記適合血管の形状に重ねて表示することを特徴とする請求項１５又は１６に記載の血管特定方法。
【請求項１８】
前記適合血管の前記適合箇所を、前記順位又は前記合計点のいずれかと共に、前記適合血管の位置に対応させて前記対象部位に投影することを特徴とする請求項１５又は１６に記載の血管特定方法。
【請求項１９】
前記適合血管の形状を近似した近似線に前記適合箇所を重ねて前記対象部位に投影することを特徴とする請求項１８に記載の血管特定方法。
【請求項２０】
前記目的に応じて前記パラメータに重み付けすることを特徴とする請求項１２乃至１９のいずれか１項に記載の血管特定方法。
【請求項２１】
前記対象部位に特定の波長の照射光を照射しながら前記対象部位を撮影して前記解析用画像を取得するステップを更に含み、
前記特定の波長が、前記照射光が前記対象部位に照射されることにより、前記照射光が照射されない場合よりも血管と他の領域との境界が明確である前記解析用画像が取得されるように選択されていることを特徴とする請求項１２乃至２０のいずれか１項に記載の血管特定方法。
【請求項２２】
前記照射光が近赤外線であることを特徴とする請求項２１に記載の血管特定方法。
【発明の詳細な説明】
【技術分野】
【０００１】
本発明は、血管を特定する血管特定装置及び血管特定方法に関する。
【背景技術】
【０００２】
人体などの一部を撮影した画像から得られた血管の位置を表示するシステムが開発されている（特許文献１、２参照。）。例えば、近赤外線を吸収するヘモグロビンの性質を利用して、近赤外線を照射した部分を赤外線カメラで撮影して血管を可視化する方法が用いられている。
【先行技術文献】
【特許文献】
【０００３】
【特許文献１】特許第４５５５５３４号公報
【特許文献２】特許第６１２７２０７号公報
【発明の概要】
【発明が解決しようとする課題】
【０００４】
しかしながら、血管を可視化するだけでなく特定の目的に適合する血管を特定する有効な技術が開発されていない。例えば、採血するために針の穿刺に適した血管を表示する方法などが望まれている。
【０００５】
上記問題点に鑑み、本発明は、特定の目的に適合する血管を特定することができる血管特定装置及び血管特定方法を提供することを目的とする。
【課題を解決するための手段】
【０００６】
本発明の一態様によれば、対象部位の解析用画像を画像処理して、対象部位に含まれる血管の位置及び形状を含む血管情報を取得する画像処理装置と、血管情報を用いて、解析用画像に含まれる血管に関して特定の目的に対する適合性を示すパラメータについて、適合の程度に応じて点数化する評価装置と、パラメータの点数に基づき、対象部位に含まれる血管の中から目的に適合する適合血管を特定する特定装置とを備える血管特定装置が提供される。
【０００７】
本発明の他の態様によれば、対象部位の解析用画像を画像処理して、対象部位に含まれる血管の位置及び形状を含む血管情報を取得するステップと、血管情報を用いて、解析用画像に含まれる血管に関して特定の目的に対する適合性を示すパラメータについて、適合の程度に応じて点数化するステップと、パラメータの点数に基づき、対象部位に含まれる血管の中から目的に適合する適合血管を特定するステップとを含む血管特定方法が提供される。
【発明の効果】
【０００８】
本発明によれば、特定の目的に適合する血管を特定することができる血管特定装置及び血管特定方法を提供できる。
【図面の簡単な説明】
【０００９】
【図１】本発明の第１の実施形態に係る血管特定装置の構成を示す模式図である。
【図２】対象部位に含まれる血管の例を示す模式図である。
【図３】本発明の第１の実施形態に係る血管特定装置により作成される血管の近似線の例を示す模式図である。
【図４】本発明の第１の実施形態に係る血管特定装置が表示する血管の情報の例を示す模式図である。
【図５】本発明の第１の実施形態に係る血管特定方法を説明するためのフローチャートである。
【図６】本発明の第２の実施形態に係る血管特定装置の構成を示す模式図である。
【図７】本発明の第２の実施形態に係る血管特定装置が対象部位に投影する血管の情報の例を示す模式図である。
【図８】本発明の第２の実施形態に係る血管特定装置が対象部位に投影する血管の情報の他の例を示す模式図である。
【図９】本発明の第２の実施形態に係る血管特定装置が対象部位に投影する血管の情報の他の例を示す模式図である。
【図１０】本発明の第２の実施形態に係る血管特定方法を説明するためのフローチャートである。
【発明を実施するための形態】
【００１０】
図面を参照して、本発明の実施形態を説明する。以下の図面の記載において、同一又は類似の部分には同一又は類似の符号を付している。ただし、図面は模式的なものであることに留意すべきである。また、以下に示す実施形態は、この発明の技術的思想を具体化するための装置や方法を例示するものであって、この発明の実施形態は、構成部品の構造、配置などを下記のものに特定するものでない。この発明の実施形態は、特許請求の範囲において、種々の変更を加えることができる。
【００１１】
（第１の実施形態）
本発明の第１の実施形態に係る血管特定装置は、被検体の対象部位に含まれる血管の中から、所定の目的に適合する血管を特定する。以下では、図１に示すように、人体の前腕の一部が対象部位２である場合について例示的に説明する。図１に示す血管特定装置１は、照明装置１０、撮像装置２０、演算装置３０及び表示装置４０を備える。演算装置３０は、画像処理装置３１、評価装置３２及び特定装置３３を有する。
【００１２】
照明装置１０は、対象部位２に特定の波長の照射光Ｌを照射する。撮像装置２０は、血管周辺の領域を含む対象部位２を撮影して、対象部位２の解析用画像を取得する。演算装置３０は、解析用画像に基づき、対象部位２に含まれる血管の中から目的に適合する血管を特定する。特定された血管の情報は、表示装置４０に表示される。以下に、血管特定装置１の詳細について説明する。
【００１３】
照明装置１０から照射される照射光Ｌの波長は、照射光Ｌが対象部位２に照射されることにより、照射光Ｌが照射されない場合よりも血管と他の領域との境界が明確である解析用画像が撮像装置２０によって取得されるように選択される。例えば、近赤外線を吸収するヘモグロビンの性質を利用して、照射光Ｌとして波長が８００ｎｍ〜９００ｎｍ程度の近赤外線を使用してもよい。近赤外線を照射光Ｌに使用した場合、撮像装置２０には赤外線カメラが好適に使用される。その結果、血管が黒く写り、皮膚などのその他の部分が白く写った解析用画像が得られる。
【００１４】
ただし、照射光Ｌが照射されていない場合でも血管と他の領域との境界が明確である解析用画像を取得できる場合には、解析用画像を取得する際に対象部位２に照射光Ｌを照射することは必ずしも必要でない。
【００１５】
撮像装置２０によって取得された対象部位２の解析用画像は、画像処理装置３１に送信される。画像処理装置３１は、解析用画像を画像処理して、対象部位２に含まれる血管の位置及び形状を含む血管情報を取得する。
【００１６】
図２に、対象部位２に含まれる血管の例を示す。図２に示した例では、血管２０１〜２０５の血管情報が取得される。なお、血管に分岐がある場合には、画像処理装置３１は、分岐する位置から解析用画像で確認できる端部までを一つの血管として、血管情報を取得する。つまり、分岐する位置から個々の端部までを一つの血管とし、それぞれの血管の血管情報が取得される。
【００１７】
画像処理装置３１は、例えば、皮膚などの血管以外の部位と血管との輝度の差に基づいて解析用画像の二値化を行って血管をその他の領域と区別し、血管情報を取得する。このとき、解析用画像について、血管と血管以外の部位とでコントラストをつける画像処理をしてから、解析用画像の二値化を行ってもよい。
【００１８】
評価装置３２は、画像処理装置３１により得られた血管情報を用いて、解析用画像に含まれる血管に関して特定の目的に対する適合性を示すパラメータについて、適合の程度に応じて点数化する。例えば、適合する程度が高いほどパラメータの点数を高くする。特定装置３３は、パラメータの点数に基づき、対象部位２に含まれる血管の中から目的に適合する血管を特定する。
【００１９】
点数化するパラメータは、血管を特定する目的に応じて選択される。例えば、針を穿刺しやすい血管を特定する目的の場合には、針の穿刺しやすさを示すパラメータが選択される。この場合に選択されるパラメータは、例えば、血管の直進性、血管の延伸方向、血管の長さ、血管の太さなどである。これは、以下の理由による。
【００２０】
即ち、血管の直進性が低いほど、針を血管に穿刺することが難しい。したがって、血管の直進性が高いほど好ましい。また、血管の部位によっては、特定の方向からの方が、他の方向からよりも針を穿刺しやすい場合がある。例えば、前腕に穿刺する場合には、手首から肘に向けた方向が穿刺しやすい方向であることが多い。このように、血管の延伸方向について好ましい特定の方向（以下において「適合方向」という。）が存在する場合がある。また、血管が短いほど穿刺が難しい。一方、血管が太いほど穿刺することが容易である。
【００２１】
また、対象部位２の特定地点から離れた箇所に針を穿刺したい場合に、解析用画像の特定地点からの距離を、点数化するパラメータの１つに使用してもよい。これにより、穿刺が困難な位置や穿刺を回避したい位置から離れた血管を特定することができる。
【００２２】
評価装置３２は、目的に適合しやすいと評価される血管ほど、パラメータの点数を高くする。例えば、針の穿刺しやすさを示すパラメータに関して、血管の直進性のパラメータの点数を高くする。また、血管の延伸方向が適合方向に近い血管ほど、血管の延伸方向のパラメータの点数を高くしてもよい。そして、血管が長いほど血管の長さのパラメータの点数を高くし、血管が太いほど血管の太さのパラメータの点数を高くする。更に、解析用画像の特定地点からの距離が遠い血管ほど、特定地点からの距離のパラメータの点数を高くする。
【００２３】
なお、パラメータの点数化には種々の方法が採用可能である。例えば、それぞれのパラメータについて、最も目的に適合する血管の点数を最高点とし、その他の血管の点数を、その最高点よりも低くするようにしてもよい。例えば、血管の太さのパラメータの点数化において、最も太い血管の点数をＮ点とし、次に太い血管の点数をＮ−１点とする（Ｎ：２以上の整数）。
【００２４】
また、他の点数化法としては、最も太い血管の点数をＮ点とし、他の血管の太さを最も太い血管の太さとの比ｒ（０＜ｒ≦１）を用いて、Ｎｒ点とする方法を用いてもよい。例えば、血管の太さの比が１：０．９８：０．９７：０．９５である場合に、それぞれの血管の太さのパラメータの点数を１点、０．９８点、０．９７点、０．９５点とする。これにより、単に血管の太さの順序だけで点数化するのではなく、血管の相対的な差として点数化できる。
【００２５】
血管の直進性の評価については、評価装置３２は、図３に示すように血管２０１〜２０５のそれぞれについて近似線Ｃ１〜Ｃ５を作成する。例えば、評価装置３２は、二値化した解析用画像の血管２０１〜２０５を細線化により幅を１ピクセルにして、最小二乗法などを用いて近似線Ｃ１〜Ｃ５を作成する。そして、評価装置３２は、近似線Ｃ１〜Ｃ５のそれぞれについて得られる決定係数（Ｒ2）が１に近い血管ほど直進性が高いと評価して、血管の直進性のパラメータの点数を高くする。
【００２６】
血管の延伸方向は、上記の近似線を用いて特定することができる。評価装置３２は、近似線の延伸方向と適合方向とのなす角度が小さい血管ほど、血管の延伸方向のパラメータの点数を高くする。なお、適合方向と解析用画像の水平方向が平行になるように解析用画像を撮像し、血管の延伸方向を特定してもよい。
【００２７】
血管の長さは、血管の解析用画像に表れる一方の端部から他方の端部までの距離とする。例えば、血管について幅が１ピクセルの近似線を作成し、近似線のピクセル数を血管の長さとしてもよい。血管の太さは、例えば、血管について作成した近似線を利用して算出してもよい。即ち、近似線から周囲に垂線を引き、この垂線と血管の重なった部分の長さを血管の太さとする。血管の太さが変化する場合は、例えば、最も太い部分をその血管の太さとする。
【００２８】
解析用画像の特定地点からの距離をパラメータに使用する場合には、図３に示すように、解析用画像に特定地点Ｔを定義する。そして、特定地点Ｔから血管までの最短距離が長いほど、特定地点からの距離のパラメータの点数を高くする。
【００２９】
以下に、図２に示した血管２０１〜２０５から針を穿刺しやすい血管を特定するために、評価装置３２が血管に針の穿刺しやすさを示すパラメータについて点数化する例を説明する。ここで、血管の直進性を第１パラメータＰ１、血管の延伸方向を第２パラメータＰ２、血管の長さを第３パラメータＰ３、血管の太さを第４パラメータＰ４、解析用画像の特定地点からの距離を第５パラメータＰ５とする。
【００３０】
特定装置３３は、評価装置３２により点数化されたパラメータを用いて、例えば以下の式（１）を用いて血管を点数化する：
Ｓ＝Ｐ１＋Ｐ２＋Ｐ３＋Ｐ４＋Ｐ５  ・・・（１）
式（１）から、第１パラメータＰ１が３点、第２パラメータＰ２が５点、第３パラメータＰ３が４点、第４パラメータＰ４が１点、第５パラメータＰ５が２点の場合、その血管の合計点Ｓは１５点である。
【００３１】
なお、血管を特定する目的に応じて、パラメータに重み付けをおこなってもよい。つまり、特定装置３３が、目的に適合する血管の特定において影響の大きいパラメータの点数を重要視した合計点Ｓを算出するようにしてもよい。例えば、以下の式（２）を用いて合計点Ｓが算出される：
Ｓ＝ａ１×Ｐ１＋ａ２×Ｐ２＋ａ３×Ｐ３＋ａ４×Ｐ４＋ａ５×Ｐ５  ・・・（２）
式（２）で、第１重み付け値ａ１〜第５重み付け値ａ５は、第１パラメータＰ１〜第５パラメータＰ５のそれぞれの重要度に応じて設定される。
【００３２】
例えば、血管の延伸方向の第２パラメータＰ２を重要視し、特定地点からの距離の第５パラメータＰ５を重要視しない場合には、式（２）において、他の重み付け値よりも第２重み付け値ａ２を大きくし、第５重み付け値ａ５を小さくする。例えば、以下の式（３）を用いて合計点Ｓが算出される：
Ｓ＝Ｐ１＋２×Ｐ２＋Ｐ３＋Ｐ４＋０．５×Ｐ５  ・・・（３）
パラメータに重み付けすることにより、特定する血管の目的に応じて、適合する血管の条件を可変することができる。
【００３３】
なお、上記のように第１パラメータＰ１〜第５パラメータＰ５のすべてについて点数化してもよいし、第１パラメータＰ１〜第５パラメータＰ５のいずれかを選択して点数化してもよい。血管に針の穿刺しやすさを示すパラメータについて点数化する場合は、血管の直進性、血管の長さ、血管の太さ、血管の延伸方向、及び特定地点からの距離の少なくともいずれかを点数化するパラメータとして選択することが好ましい。
【００３４】
上記のように、評価装置３２により点数化されたパラメータを用いて、特定装置３３が、対象部位２に含まれる複数の血管のそれぞれの合計点Ｓを算出する。このとき、特定装置３３が、対象部位に含まれる複数の血管に関して、合計点Ｓの比較により目的に適合する順に血管を順位付けてもよい。血管の近似線の位置や形状、パラメータの点数、合計点Ｓ、順位などの情報は、血管それぞれの血管情報の一部として管理される。
【００３５】
特定装置３３は、評価装置３２により算出されたパラメータの点数に基づき算出した合計点Ｓを用いて、対象部位２に含まれる血管の中から目的に適合する血管（以下において、「適合血管」という。）を特定する。例えば、合計点Ｓが最も高い血管を、適合血管として特定する。或いは、合計点Ｓが所定の点数よりも高い血管のすべてを適合血管として特定してもよい。また、合計点Ｓの比較により順位付けされた血管について、一定の順位までの上位の血管を適合血管として特定してもよい。特定装置３３は、適合血管の情報を表示装置４０に送信する。
【００３６】
表示装置４０は、特定装置３３から送信された適合血管の情報を表示する。例えば、図４に示すように、対象部位２に含まれる血管の画像と共に、合計点Ｓの比較により順位付けされたそれぞれの血管の順位が、表示装置４０に数字で表示される。順位に代えて、あるいは順位と共にそれぞれの血管の合計点を表示することも有効である。図４では、１位から４位までに順位付けされた血管について順位を表示する例を示した。即ち、血管２０２が１位、血管２０１が２位、血管２０３が３位、血管２０４が４位である。一方、血管２０５は適合血管ではなく、順位が表示されていない。例えばパラメータの点数が一定の基準を満たさない血管は、適合血管から除外してもよい。
【００３７】
表示装置４０が、適合血管のそれぞれについて、血管全体の中でも特に目的に適合する適合箇所を表示するようにしてもよい。即ち、針を穿刺しやすい血管を特定する目的の場合に、適合血管で針を穿刺しやすい位置を適合箇所として表示してもよい。図４では、血管２０１〜２０４それぞれの適合箇所Ｄ１〜Ｄ４を黒丸で示している。例えば、最も血管の太い部分などが適合血管の適合箇所として表示される。適合箇所を表示することにより、血管の穿刺しやすい位置を特定することが可能であり、容易に穿刺することができる。
【００３８】
図４に示した例では、血管２０２が最も目的に適合する血管である。上記のように血管を順位付けすることにより、目的に適合する血管の絞り込みが可能であり、特定の目的に適合する血管を特定することができる。更に、表示装置４０によって血管の順位を表示することにより、最も目的に適合する血管以外の他の候補の血管の位置を確認することが可能である。
【００３９】
このように、表示装置４０が、適合血管の適合箇所及び順位を適合血管の形状に重ねて表示することにより、適合血管の情報を視覚的に把握することができる。
【００４０】
図５に、血管特定装置１を用いた血管特定方法における一連の処理を説明するフローチャートを示す。
【００４１】
図５のフローチャートのステップＳ１０１において、撮像装置２０によって対象部位２の解析用画像を取得する。このとき、照明装置１０によって対象部位に特定の波長の照射光Ｌを照射してもよい。
【００４２】
ステップＳ１０２において、画像処理装置３１が解析用画像を画像処理して、対象部位２に含まれる血管の位置及び形状を含む血管情報を取得する。そして、ステップＳ１０３において、評価装置３２が、血管情報を用いて、解析用画像に含まれる血管に関して特定の目的に対する適合性を示すパラメータについて点数化する。ステップＳ１０４において、対象部位２に含まれる複数の血管に関してパラメータをそれぞれ点数化し、パラメータの点数に応じて目的に適合する順に血管を順位付けしてもよい。その後、ステップＳ１０５において、特定装置３３が、パラメータの点数に基づき、対象部位２に含まれる血管の中から目的に適合する適合血管を特定する。
【００４３】
そして、ステップＳ１０６において、表示装置４０が適合血管の情報を表示する。このとき、適合血管それぞれの適合箇所を、血管の順位と共に表示してもよい。
【００４４】
以上に説明したように、第１の実施形態に係る血管特定装置１では、対象部位２の解析用画像から、特定の目的に対する適合性を示すパラメータを点数化し、パラメータの点数に基づいて適合血管を特定する。血管特定装置１によれば、血管を可視化するだけでなく特定の目的に適合する血管を特定することができる。また、血管を順位付けして表示することにより、目的に適合する血管についてより的確な判定を行える。例えば最もパラメータの点数が高い血管を使用できない場合でも、他の血管を選択することが容易である。
【００４５】
なお、上記に説明したパラメータの点数化では、各パラメータの点数がゼロ点になることはない。しかし、採血などの目的において許容し得ないパラメータがある血管が、合計点方式では順位が高くなってしまうこともあり得る。このリスクを回避するため、各パラメータについて、所定の許容範囲を超えた場合の点数をゼロ点にするようにしてもよい。更に、ゼロ点のパラメータが１つでもあれば、その血管を適合血管から排除するようにしてもよい。このようにすることで、特定のパラメータについては許容できない血管が適合血管として選択されるリスクの低減あるいは排除が可能である。
【００４６】
（第２の実施形態）
第１の実施形態では、適合血管の情報を表示装置４０に表示する場合を説明した。一方、表示装置４０に適合血管の情報を表示する代わりに、若しくは、表示装置４０に適合血管の情報を表示すると共に、対象部位２に適合血管の情報を投影してもよい。図６に、対象部位２に適合血管の情報を投影する第２の実施形態に係る血管特定装置１の構成を示す。
【００４７】
図６に示す血管特定装置１は、表示装置４０の代わりに、対象部位２に適合血管の情報を投影する投影装置５０を備えることが図１と異なる点である。その他の構成については、図１に示す第１の実施形態と同様である。ただし、第２の実施形態に係る血管特定装置１が、表示装置４０と共に投影装置５０を備える構成であってもよい。
【００４８】
投影装置５０は、例えば図７に示すように、解析用画像における適合血管の位置に対応させて、適合血管の適合箇所と順位を対象部位２に投影する。図７は、血管２０１〜２０４が適合血管として特定され、血管２０１〜２０４の適合箇所Ｄ１〜Ｄ４を、血管２０１〜２０４の順位と共に対象部位２に投影した例である。これにより、例えば針の穿刺しやすい部分を明確にできる。
【００４９】
また、図８に示すように、投影装置５０が、適合血管の形状を近似した近似線を、適合血管の適合箇所や順位と共に対象部位２に投影してもよい。近似線は、解析用画像における適合血管の位置に対応させて対象部位２に投影される。投影される近似線は、例えば、第１の実施形態で説明した血管の直進性の評価のために作成された近似線であってもよい。図８は、血管２０１〜２０４が適合血管として特定され、血管２０１〜２０４の形状に近似した近似線Ｃ１〜Ｃ４が表示された例である。これにより、適合血管の位置が明確に把握される。図８に示した例では、投影装置５０が、適合血管の近似線Ｃ１〜Ｃ４に適合箇所Ｄ１〜Ｄ４を重ねて表示している。
【００５０】
なお、図９に示すように、適合箇所と共に特定の目的に適した方向を矢印などで投影してもよい。これにより、例えば針の穿刺が容易になる。血管の穿刺しやすい方向は、例えば血管の延伸方向である。
【００５１】
図１０に、第２の実施形態に係る血管特定装置１を用いた血管特定方法における一連の処理を説明するフローチャートを示す。
【００５２】
図１０のフローチャートのステップＳ１０１〜Ｓ１０５の処理は、図５に示したフローチャートのステップＳ１０１〜Ｓ１０５の処理と同様である。そして、図１０に示したフローチャートのステップＳ１０５の後、ステップＳ１０７において、投影装置５０が適合血管の情報を対象部位２に投影する。即ち、適合血管の特定箇所や順位、近似線などが、適合血管の位置に対応させて対象部位２に投影される。
【００５３】
第２の実施形態に係る血管特定装置１によれば、対象部位２を目視しながら、特定の目的に適合した血管を絞り込むことができる。例えば、針を穿刺しやすい血管及びその血管の適合箇所の確認が容易である。他は、第１の実施形態と実質的に同様であり、重複した記載を省略する。
【００５４】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。
【００５５】
例えば、血管特定装置１の演算装置３０が、対象部位２の撮影場所から離れた場所に設置されていてもよい。
【００５６】
このように、本発明はここでは記載していない様々な実施形態などを含むことはもちろんである。
【符号の説明】
【００５７】
１…血管特定装置
２…対象部位
１０…照明装置
２０…撮像装置
３０…演算装置
３１…画像処理装置
３２…評価装置
３３…特定装置
４０…表示装置
５０…投影装置
２０１〜２０５…血管
【図１】
2020185199.tif 000003
【図２】
2020185199.tif 000004
【図３】
2020185199.tif 000005
【図４】
2020185199.tif 000006
【図５】
2020185199.tif 000007
【図６】
2020185199.tif 000008
【図７】
2020185199.tif 000009
【図８】
2020185199.tif 000010
【図９】
2020185199.tif 000011
【図１０】
2020185199.tif 000012